Podtech/llm-jp-corpus-v4-ja_patent huggingface dataset:
(57)【要約】      （修正有）【課題】洗い布や紐の両端を左右の手で持って、交互に引き合いながら背中を洗うときに、より強く背中をこすることができる背中洗い器を提供する。【解決手段】背中洗い器の本体１の互いに向き合う二つの側面の中心部に、突起３及びストッパー４を設ける、または巻き取り部を設ける、または紐を取り付けることによって、本体及び突起及びストッパーに巻き付けた洗い布または紐を両側面の中心に位置させる。【選択図】図１
0003200025.tif 000002
【実用新案登録請求の範囲】
【請求項１】
背中洗い器本体の互いに向き合う二つの側面の各々の中心に突起を設け、前記突起の先端にストッパーを設け、前記本体及び前記突起及び前記ストッパーに巻き付けた洗い布を、前記突起の位置で留め具によって固定する背中洗い器。
【請求項２】
背中洗い器本体の互いに向き合う二つの側面の各々の中心を結ぶ線を回転軸として回転可能に巻き取り部を設け、前記本体に洗い布を巻きつけながら、前記洗い布を前記巻き取り部の中心に位置させる背中洗い器。
【請求項３】
背中洗い器本体の外周に洗い布を取り付け、互いに向き合う二つの側面の各々の中心に紐を取り付けた背中洗い器。
【考案の詳細な説明】
【技術分野】
【０００１】  本考案は、背中洗い器に関する。
【背景技術】
【０００２】  背中を洗う場合、洗い布の両端の各々を、左右の手で持ち、洗い布を背中にあてて、交互に引き合って背中をこする。【０００３】  しかしながら、従来の洗い布での洗い方では、背中にかかる力が充分でなく、背中を強く洗えなかった。
【先行技術文献】
【特許文献】
【０００４】
【特許文献１】  特開２０１５−０１３０８３号公報
【０００５】
【特許文献２】  実開平０２−１２５６９２号公報
【考案の概要】
【考案が解決しようとする課題】
【０００６】  本考案は、以上のような従来の欠点を克服するべく、背中に充分な圧力を加え、強く背中をこすることができる背中洗い器を提供することを目的としている。
【課題を解決するための手段】
【０００７】  上記目的を達成するために、本考案は、硬さを有する素材からなる本体の二つの側面の中心に洗い布又は紐を配置するようにした。そのための突起又は巻き取り部を設けて背中洗い器を構成している。
【考案の効果】
【０００８】  以上の説明から明らかなように、本考案は、硬さを有する本体を背中に押しつけたとき、洗い布又は紐が本体の二つの側面の中心に位置することによって、本体中心部から背中の表面への力が確実に生じて、背中を強く洗うことができる効果がある。
【図面の簡単な説明】
【０００９】
【図１】  本考案の請求項１の実施例１の説明図である。
【図２】  図１の本体に洗い布を巻いて留め具で固定した状態の説明図である。
【図３】  本考案の請求項２の実施例２の説明図である。
【図４】  図３の本体に洗い布を巻きつけた状態の説明図である。
【図５】  本考案の請求項３の実施例３の説明図である。
【考案を実施するための形態】
【００１０】    本考案の背中洗い器は、硬さを有する本体の相向き合う二つの側面の中心に突起又は巻き取り部を設けた。また、紐を使用する場合は、その紐を二つの側面の中心にとりつけた。そのため、洗い布または紐の両端を左右の手で持ち交互に引き合いながら背中を洗うときに本体が背中に強くあたることを実現した。
以下、本考案の実施の形態を図に基づいて説明する。
【実施例１】
【００１１】  図１、図２は本考案の実施例１の説明図である。硬さを有する円形の本体１の相向き合う二つ側面の中心に突起３を有する。突起３の先端に円形のストッパー４を有する。二つの突起３をむすぶ線の方向と洗い布６の長辺方向とを平行にして、洗い布６を本体１の外周２に沿って巻きつける。突起３の根元とストッパー４の間で、ベルト状の留め具５によって洗い布６を上から締めつけて固定する。ストッパー４は、留め具５を突起３の根元側にとどめる働きをするものなので、ストッパー４の外周径は、締めつけた状態の留め具５の外周径より大きな径にする。留め具５は本体１から独立している。しかし、留め具５の一端を突起３に固定して洗い布６と共に突起３に巻きつけて、洗い布６の外側に出た部分で洗い布６を締め付けて留めても良い。【００１２】  本体１に巻き付けた洗い布６の両端のそれぞれを左右の手で持ち、本体１を背中に押しあてたとき、洗い布６が本体１の両側面の中心に固定されていることによって、本体１の中心部から背中に接する外周２への力が確実に発生する。その結果、強い力で背中をこすることができる。
【実施例２】
【００１３】  図３、図４は本考案の実施例２の説明図である。硬さを有する円形の本体１の相向き合う二つの側面の中心を結ぶ線を回転軸として回転可能に取り付けた巻き取り部７を有する。巻き取り部７は、その回転軸を中心に渦巻き状をしていて、渦の外径は本体１の外周２の外径より小さい。回転軸と洗い布６の長辺方向とを平行にして、外周２に洗い布６の長辺の一端を押し当てて、渦巻きの外側の開口部から内側に洗い布６が入り込むようにしながら本体１だけを回転させると、洗い布６は外周２に巻き付くとともに渦巻きの内部に巻き込まれる。渦巻きの外径が外周２の外径より小さいため、渦巻き内部の洗い布６は本体１の両側面の中心近くに位置する。【００１４】  本体１に巻き付けた洗い布６の両端のそれぞれを左右の手で持ち、本体１を背中に押しあてたとき、洗い布６が本体１の両側面の中心に固定されていることによって、本体１の中心部から背中に接する外周２への力が確実に発生する。その結果、強い力で背中をこすることができる。
【実施例３】
【００１５】  図５は本考案の実施例３の説明図である。硬さを有する円形の本体１の外周２に洗い布６を取り付け、本体１の相向き合う二つの側面の各々の中心部に紐８を取り付けてある。【００１６】    紐８の両端の各々を左右の手で持ち、本体１を背中に押しあてたとき、紐８が本体１の両側面の中心に固定されていることによって、本体１の中心部から背中に接する外周２への力が確実に発生する。その結果、強い力で背中をこすることができる。
【産業上の利用可能性】
【００１７】  本考案は背中洗い器を製造する産業で利用される。
【符号の説明】
【００１８】  １  本体
２  外周
３  突起
４  ストッパー
５  留め具
６  洗い布
７  巻き取り部
８  紐
【図１】
0003200025.tif 000003
【図２】
0003200025.tif 000004
【図３】
0003200025.tif 000005
【図４】
0003200025.tif 000006
【図５】
0003200025.tif 000007
(57)【要約】      （修正有）【課題】みそ汁のうまみにも満足でき、また、持ち運びにも便利であるペットボトルを提供する。【解決手段】だし汁６で満たされたペットボトルであって、ペットボトルの内部に配置され、みそが入っているみそ袋４と、ペットボトルの内部に配置され、具材が入っている具材袋５と、引き上げることができるリング２と、を有し、リング２を引き上げるとみそ袋４及び具材袋５が破れ、中のみそ及び具材がだし汁６に溶け込む。【選択図】図１
0003200846.tif 000002
【実用新案登録請求の範囲】
【請求項１】
ペットボトルの中にだし汁を満たしておき、これにみそと具材が溶け込んでみそ汁が完成する構造のペットボトル。
【考案の詳細な説明】
【技術分野】
【０００１】  本考案は、ペットボトルみそ汁に関する。
【背景技術】
【０００２】  従来、手早くみそ汁を飲みたいときには、コンビニエンスストアでカップみそ汁を購入し、お湯を入れる方法であった。
【考案の開示】
【考案が解決しようとする課題】
【０００３】  これでは、だし汁を使用していないのでうまさが不十分であり、また、持ち運びの時にみそ汁をこぼしてしまうという難点があった。
【課題を解決するための手段】
【０００４】  そこで、だし汁を使用することでうまさに配慮し、持ち運びしやすいようにペットボトルの中でみそ汁が完成する構造のペットボトルみそ汁を考案した。
【考案の効果】
【０００５】  本考案のペットボトルみそ汁は、だし汁を使用するので十分なうまみを得られる。また、ペットボトルの中でみそ汁が完成するので、持ち運びも便利である。
【考案を実施するための最良の形態】
【０００６】  みそ汁を飲もうとするときは、まず図１の１．キャップＡを外し、次に２．リングを引き上げる。この時、４．みそ袋と５．具材袋が破れて、中のみそと具材が、６．だし汁に溶け込む。それから、２．リング、４．みそ袋、５．具材袋と一体になっている  ３．キャップＢをペットボトルから取り外す。それから、最初に外した  １．キャップＡを取り付けて、ペットボトルみそ汁が完成する。
【産業上の利用可能性】
【０００７】  本考案に係るペットボトルみそ汁は、工業的に量産することが可能であるため、産業上の利用可能性を有する。
【図面の簡単な説明】
【０００８】
【図１】  本考案に係るペットボトルみそ汁の、正面からの見取り図である。
【符号の説明】
【０００９】  １      キャップＡ
２      リング
３      キャップＢ
４      みそ袋
５      具材袋
６      だし汁
【図１】
0003200846.tif 000003
【手続補正書】
【提出日】平成27年6月28日(2015.6.28)
【手続補正１】
【補正対象書類名】実用新案登録請求の範囲
【補正対象項目名】全文
【補正方法】変更
【補正の内容】
【実用新案登録請求の範囲】
【請求項１】
だし汁（６）で満たされたペットボトルであって、前記ペットボトルの内部に配置され、みそが入っているみそ袋（４）と、前記ペットボトルの内部に配置され、具材が入っている具材袋（５）と、引き上げることができるリング（２）と、を有し、前記リング（２）を引き上げると前記みそ袋（４）及び前記具材袋（５）が破れ、中のみそ及び具材がだし汁（６）に溶け込むことを特徴とするペットボトル。
(57)【要約】      （修正有）【課題】食品缶詰１缶で食事として質的量的両面共に完結可能な仕切り付缶詰を提供する。【解決手段】缶内部に適切な中間仕切３を設置し、米飯と調理された食品部分とを分離、保存する。【選択図】図２
0003200842.tif 000002
【実用新案登録請求の範囲】
【請求項１】
従来、食品類の缶詰は主に長期保存の他、非常時に対する備えや携帯性並びに人々の食品に対する嗜好に応じて造られている。
しかし、現状の食品缶詰には食事としての量的及び質的バランスの面で完決しない欠点がある。
単品としては過不足が生ずるとか、食事としてはメニューや栄養の面から不十分と思われる。これらの欠点を解消するためには缶内部に仕切りを設けることが合理的と考える。
本考案は場合に応じた間仕切りを缶内部に設け、主食と副食との組合せの他デザートや各種の薬味や香辛料の組合せによって１缶で人々の多様な需要に答えるものである。
【考案の詳細な説明】
【技術分野】
【０００１】現状の缶詰め技術を用いる．
【背景技術】
【０００２】格別なし
【考案が解決しようとする課題】
【０００３】従来の食品缶詰には１回の食事としては質量両面で適切なものがない。
【課題を解決するための手段】
【０００４】缶内部に場合に応じた間仕切りを設ける。
【考案の効果】
【０００５】食品缶詰本来の目的に加えて、人々の多様な需要に答えることができる。
【図面の簡単な説明】
【０００６】
【図１】平面図
【図２】断面図
【産業上の利用可能性】
【０００７】あらゆる料理に備えた食品食材を保存できる。
【符号の説明】
【０００８】１  缶外周
２  上蓋
３  中間仕切
４  オープナー
５  オープンヶ所
【図１】
0003200842.tif 000003
【図２】
0003200842.tif 000004
【手続補正書】
【提出日】平成27年5月20日(2015.5.20)
【手続補正１】
【補正対象書類名】実用新案登録請求の範囲
【補正対象項目名】全文
【補正方法】変更
【補正の内容】
【実用新案登録請求の範囲】
【請求項１】
缶内に間仕切りを設け主食と副食とを分離すること。
【手続補正書】
【提出日】平成27年8月10日(2015.8.10)
【手続補正１】
【補正対象書類名】実用新案登録請求の範囲
【補正対象項目名】全文
【補正方法】変更
【補正の内容】
【実用新案登録請求の範囲】
【請求項１】
カレーライスの米飯と調理された食品部分とを分離、保存することを特徴とする仕切り付缶詰。
(57)【要約】      （修正有）【課題】サウナでの使用時は、顔面からズレ落ちず、熱気から呼吸器系を守り息苦しさを半減し、発汗作用を促し、冷浴時には、より密着度を高め、火照りを鎮める効果が期待できるフェイスシェイプマスクを提供する。【解決手段】布製品であるフェイスシェイプマスクであって、顔面を立体的に包み込む形に形成されており、両目部分及び口部分のそれぞれに切込み１、２が入れられており、両耳あたりから１本ずつ帯６が伸びており、後頭部における２本の帯６の締め具合により、フェイスシェイプマスクの顔面への密着度を調整可能であり、両目部分の切り込み１は、眼鏡使用時に対応するように繋がっている。鼻部分を開けず、後頭部の自己調整で、息苦しさや密着度を調整する事ができる。【選択図】図１
0003200843.tif 000002
【実用新案登録請求の範囲】
【請求項１】
顔型に立体的に成型し、目、口部分に切込みを入れた布製品で、後頭部で固定位置や密着度を調整可能であり、両目開口部を繋げる事で、眼鏡使用時にも対応するもの。
【考案の詳細な説明】
【技術分野】
【０００１】
この発明は、従来の平面型にはない、固定度と用途による密着度を高めたものである。
【背景技術】
【０００２】
従来、顔型タオルはあったが、立体的且つ、用途に合わせて密着度が使い分けられるものはなかった。
【先行技術文献】
【特許文献】
【０００３】
【特許文献１】特開2004-19085  入浴用帽子
【特許文献２】特開2006-6873  発汗促進ポリエステル内臓タオルマスク
【特許文献３】特開2008-278927  フェイスタオル
【特許文献４】特開2009-148528  顔型タオル
【考案の概要】
【考案が解決しようとする課題】
【０００４】
サウナでの使用時は、顔面からズレ落ちず、熱気から呼吸器系を守り息苦しさを半減し、発汗作用を促す。
冷浴時には、より密着度を高め、火照りを鎮める効果が期待できる。
また、電子レンジ対応で、家庭内でも手軽に蒸しタオルとして、利用可能であり、従来ある平面の物と比較して、日常生活の動作においては、ズレが生じない。
【課題を解決するための手段】
【０００５】
タオルを立体的、且つ、後頭部で固定する位置により、密着度を調整出来るものであることで、鼻部分を開けず、後頭部の自己調整で、息苦しさや密着度を調整する事ができる。
【考案の効果】
【０００６】
乾式湿式サウナ内、または家庭内活動中においても、ズレを気にせず使用する事が出来る。
サウナでの使用時は、顔面からズレ落ちず、熱気から呼吸器系を守り息苦しさを半減し、発汗作用を促す。
冷浴時には、より密着度を高め、火照りを鎮める効果が期待できる。
また、電子レンジ対応で、家庭内でも手軽に蒸しタオルとして、利用可能。
従来ある平面の物と比較して、日常生活の動作においては、ズレが生じず、眼鏡も使用できる。
ズレない事により、掃除や家事などをしながらの利用も可能である。
【図面の簡単な説明】
【０００７】
【図１】本発明の斜視図である。
【考案を実施するための形態】
【０００８】
本発明の頭頂部分は、数箇所にタックを入れ、顔面上部を立体的に包み込む形になる。また、顎下部分にも数箇所のタックを入れ、顔面下部を立体的に包み込む形になる。
左右、両耳あたりから伸びた帯を、後頭部にて、紐の締め具合により、密着度を増したり、息苦しさを軽減したりする調整が可能である。
【実施例】
【０００９】
サウナマスクとして利用する場合は、お湯で湿らせたマスクをゆるめに固定する。
クールダウンに利用する場合は、冷水で湿らせたマスクを少しきつめに固定する。
蒸しタオルとして利用する場合は、電子レンジで30秒ほど暖め、動きやすい程度に固定する。
【符号の説明】
【００１０】
１．視界用の切込み
２．口呼吸をするための切込み
３．顔面上部を立体的にするために、頭頂部分に入れるタック
４．立体的で、おでこをすっぽりと覆う、目から上の部分
５．顔面下部を立体的にするために、顎ラインに入れるタック
６．両耳あたりから伸び、後頭部で固定するための帯
7.立体的で、フェイスラインをすっぽりと覆う、目から下の部分
【図１】
0003200843.tif 000003
【手続補正書】
【提出日】平成27年5月1日(2015.5.1)
【手続補正２】
【補正対象書類名】実用新案登録請求の範囲
【補正対象項目名】全文
【補正方法】変更
【補正の内容】
【実用新案登録請求の範囲】
【請求項１】
布製品であるフェイスシェイプマスクであって、顔面を立体的に包み込む形に形成されており、両目部分及び口部分のそれぞれに切込みが入れられており、両耳あたりから１本ずつ帯が゛伸びており、後頭部における２本の帯の締め具合により、フェイスシェイプマスクの顔面への密着度を調整可能であり、両目部分の切り込みは、眼鏡使用時に対応するように繋がっていることを特徴とするフェイスシェイプマスク。
(57)【要約】      （修正有）【課題】カードゲーム分野に用いるカードという媒体部を自由にすげ替え可能とするシールシートを提供する。【解決手段】複数のシール２を有するシート１であって、シール２には、カードゲーム分野におけるゲームの媒体であるカードのフェイス部分が記載されている。【選択図】図１
0003200841.tif 000002
【実用新案登録請求の範囲】
【請求項１】
カードゲーム分野におけるゲームの媒体である「カード」の「フェイス（表面）部分」を「シール」に置き換え、ユーザーが「シールを張り付ける」事で、媒体部を自由な素材に変更できることを特徴とするシールゲーム。
【考案の詳細な説明】
【技術分野】
【０００１】  本考案は、カードゲーム分野におけるゲームの媒体である「カード」の「フェイス（表）部分」を「シール」に置き換え、ユーザーが「シールを張り付ける」事で、媒体部を自由な素材に変更できる案件に関する。
【考案の概要】
【考案が解決しようとする課題】
【０００２】  従来のカードゲームにおいて、通常その媒体は当然「カード」或いはそれに準じたものであり、媒体とフェイスは固定関係にあった。
本考案は、その固定関係を崩し、ユーザーの好きなように、自由な媒体でゲームを「構築」可能にさせる、という目的をもつ。
【課題を解決するための手段】
【０００３】  従来のカードゲームにおいて、通常その媒体は「カード」或いはそれに準じたものであったが、そのフェイス部を「シール化」し、「どこにでも貼り付け可能」にする事で、自由な素材を媒体とした「新たなオリジナルゲーム」を作成させる。
【考案の効果】
【０００４】・「ユーザーがゲームの媒体部を自由に選択できる」という利便性
「コースターの裏に貼って、店舗宣伝しつつ遊ぶ」、といった付加価値をつけたゲームに変換させたり、「木片に貼って、素材の感触を楽しみつつ遊ぶ」といった独自の楽しみを加える等、用途に応じて自在にゲームを作成できる。
・予めゲームの「媒体部」が存在しない事による、ゲーム制作のコスト削減
本体は単純な「シール」であるから、「ゲーム」でありつつも、極めて安価で生産が可能。
【図面の簡単な説明】
【０００５】
【図１】  フェイスとなる「シール」の例
【図２】  素材への貼り付けイメージ
【符号の説明】
【０００６】  １  シールシート
２  シール
【図１】
0003200841.tif 000003
【図２】
0003200841.tif 000004
【手続補正書】
【提出日】平成27年3月6日(2015.3.6)
【手続補正１】
【補正対象書類名】実用新案登録請求の範囲
【補正対象項目名】請求項１
【補正方法】変更
【補正の内容】
【請求項１】
カードゲーム分野において、そのカードの役割を示すフェイス面（いわゆる表面）部分をシールに置き換え、ユーザーがこのシールを好きな媒体に張り付ける事で、その媒体自体をゲームに変更することを特徴とする「シールゲーム」という名称のゲーム構築シール。
【手続補正書】
【提出日】平成27年7月23日(2015.7.23)
【手続補正１】
【補正対象書類名】実用新案登録請求の範囲
【補正対象項目名】請求項１
【補正方法】変更
【補正の内容】
【請求項１】
複数のシールを有するシートであって、
シールには、カードゲーム分野におけるゲームの媒体であるカードのフェイス部分が記載されているシールシート。
(57)【要約】      （修正有）【課題】複数の「提示（行動指定）カード」の突き合わせ結果を直接的にプレイヤーに明示するカードを有するコンポジションカードデッキを提供する。【解決手段】カードゲームにおける複数のプレイヤーの手札となり、個別の行動が示されたカードである複数の行動指示カード１と、複数のプレイヤーが提示する行動指定カードの組み合わせによる状況変化がビジュアルとテキストで示されたカードが、全組み合わせについてそれぞれ用意された複数の結果カード３と、を有することを特徴とする。【選択図】図１
0003200840.tif 000002
【実用新案登録請求の範囲】
【請求項１】
カードゲームにおける複数のプレイヤーの「提示（行動指定）カード」について、その全組み合わせによる状況変化を予め「結果カード」としてデッキ内に存在させる。
この結果カードを明示する事で、あらゆる状況に応じた詳細結果を瞬時に「ビジュアル的かつ直接的」に、全プレイヤーが確認できるという方法。
【考案の詳細な説明】
【技術分野】
【０００１】  本考案は、カードゲーム分野における「複数プレイヤーの任意のカード提示」によって発生する「細かな状況変化」を同カードデッキ内の専用カードを用いて、瞬時に明示可能にする案件に関する。
【考案の概要】
【考案が解決しようとする課題】
【０００２】  従来のカードゲームにおいて、複数のプレイヤーが「幾つかの個別行動が示されたカード」から任意のカードを選んでこれを提示した際、それらを突き合わせた「結果」はルールブック或いは「結果を表化した別シート」等によって確認する類のものであり、必然的に単純な「勝敗結果」や「保有ポイントの移動」といった「少ない情報の提示」しかできなかった。
【課題を解決するための手段】
【０００３】  プレイヤーが提示するカード（行動指定カード）には「個別の記号」が明記されており、これらの全組み合わせに合致するカード（結果カード）がデッキ内に予め用意されている。
当カードを明示することで、提示されたカードの「突き合わせ結果」を確認させる。
【考案の効果】
【０００４】  「結果カード」の利点は、「結果的に状況がどう変化したか」という複雑な情報を、ビジュアルイメージを利用する事で「瞬時にゲーム参加者全員に伝えられる」事にある。
この独自構造により、「カード提示→結果カード確認」という極めてシンプルな流れを取りつつも、複雑で自由度の高いゲーム展開が可能となる。
【図面の簡単な説明】
【０００５】
【図１】「提示（行動指定）カード」の組み合わせと、対応した「結果カード」の例。
【図２】デッキの構成例。上段グループ→提示カード・下段グループ→結果カード（※記号は裏面）
【符号の説明】
【０００６】１提示（行動指定）カード
２行動内容（記号  ＋  絵  ＋  文字情報）
３結果カード
４結果内容（絵  ＋  文字情報）
【図１】
0003200840.tif 000003
【図２】
0003200840.tif 000004
【手続補正書】
【提出日】平成26年11月20日(2014.11.20)
【手続補正１】
【補正対象書類名】実用新案登録請求の範囲
【補正対象項目名】請求項１
【補正方法】変更
【補正の内容】
【請求項１】
カードゲームにおける複数のプレイヤーの「提示（行動指定）カード」において、
その全組み合わせによる状況変化を、予め「結果カード」としてデッキ内に存在させ、
この「結果カード」を明示する事で、あらゆる状況に応じた詳細結果を
瞬時に「ビジュアル的かつ直接的」に、全プレイヤーに確認させることを特徴とするコンポジションカードデッキ。
【手続補正書】
【提出日】平成27年3月19日(2015.3.19)
【手続補正１】
【補正対象書類名】実用新案登録請求の範囲
【補正対象項目名】請求項１
【補正方法】変更
【補正の内容】
【請求項１】
当カードゲームにおける複数のプレイヤーの手札（行動指定カード）において、その全組み合わせによる状況変化を、予め「結果カード」としてデッキ内に存在させ、この「結果カード」を明示する事で、全ての手札に応じた詳細結果を瞬時に「ビジュアルとテキスト」で、全プレイヤーに確認させられる事を特徴とするコンポジションカードデッキ。
【手続補正書】
【提出日】平成27年7月23日(2015.7.23)
【手続補正１】
【補正対象書類名】実用新案登録請求の範囲
【補正対象項目名】請求項１
【補正方法】変更
【補正の内容】
【請求項１】
カードゲームにおける複数のプレイヤーの手札となり、個別の行動が示されたカードである複数の行動指示カードと、複数のプレイヤーが提示する行動指定カードの組み合わせによる状況変化がビジュアルとテキストで示されたカードが、全組み合わせについてそれぞれ用意された複数の結果カードと、を有することを特徴とするコンポジションカードデッキ。
(57)【要約】      （修正有）【課題】停電状態で暗闇になり、非常に不便で、非常に不安な状態を引き起こすといったことが解決される一体型照明器具及び携帯用ＬＥＤライトを提供する。【解決手段】一体型照明器具６は、停電センサ−付き天井型照明器具と側面が電球の様なネジ構造３の携帯用ＬＥＤライト２を一体化する。携帯用ＬＥＤライト２は、側面が電球の様なネジ構造である。停電発生時に照度が少し落ちるだけで、前項の課題が解決される。【選択図】図１
0003200854.tif 000002
【実用新案登録請求の範囲】
【請求項１】
停電センサ−を組み込んだ天井型照明器具。
【請求項２】
停電センサ−付き天井型照明器具と携帯用ＬＥＤライトの側面ををネジ構造状にして組み込み一体化した物。一体化手段はこの限りではない。
【考案の詳細な説明】
【技術分野】
【０００１】
天井照明器具中央部にネジ構造の円筒形３を組込み、そこに携帯用ＬＥＤライト２の側面をネジ構造にして,器具中央のネジ構造の円筒形３に２ねじ込み、一体化する。
【背景技術】
【０００２】
従来の天井取り付け照明器具は、停電時には使用不可能であり、他の照明器具を探したり、壁に取り付けた携帯ライトで暗闇に対処していたので、すぐに対処できず、不便であった。
【考案の概要】
【考案が解決しようとする課題】
【０００３】
この考案は、夜間の停電発生時に暗闇になり行動できなくなる。また、暗闇は人間の精神状態を不安定にする。これらの問題を解決する物である。
【課題を解決するための手段】
【０００４】
この考案は、停電発生時に天井取り付け照明器具６が消灯すると、停電センサ−付き照明器具６中央に組み込まれた停電センサ−がスイッチオン状態になり、携帯用ＬＥＤライト２が点灯する。最低限の明かるさが確保され、冷静に行動することがが可能である。現実に豆球が点灯しているだけで安心できる。ＬＥＤライトはその豆球より何倍もの明るさが確保される物である。
【考案の効果】
【０００５】
停電センサ−付き照明器具６中央部に携帯ＬＥＤライト２を組み込むことで夜間の停電時に最小限の明るさを確保出来る。また照明器具中央は光源の最大に適した箇所である。ＬＥＤ素子数を増やすことで照度を増やすことも可能である。
【図面の簡単な説明】
【０００６】
【図１】１は照明カバー２は携帯用ＬＥＤライト３は２を組み込むネジ部４は天井６は停電センサ−付き天井型照明器具
【図２】１は照明カバー２は携帯用ＬＥＤライト３は２を組み込むネジ部
【図３】１は照明カバー２は携帯用ＬＥＤライト３は２を組み込むネジ部５は１を固定する突出部
【図４】２は携帯用ＬＥＤライト３は２を組み込むネジ部
【考案を実施するための形態】
【０００７】
この考案は、従来の、天井取り付け照明器具を取り外し、この考案物件を取り付けるだけで、従来と変わらず簡単に設置できる。
【産業上の利用可能性】
【０００８】
この考案は、一般家庭住居、一般宿泊施設の各部屋等、施設の個室に利用可能である。従来の生産工程に特別な技術を有する物でない。
【符号の説明】
【０００９】
１は照明器具カバーで中央部にＬＥＤライトねじ込み開口部を設けている。２は携帯用ＬＥＤライトで本体側面に電球様式のネジ構造にしている。３は従来の電球取り付け部のネジ構造である。４は照明器具取り付けの天井である。６は従来の天井照明器具に停電センサ−を組み込み中央部に従来の電球取り付け部のネジ構造を組み込んだ一体型照明器具である。
【図１】
0003200854.tif 000003
【図２】
0003200854.tif 000004
【図３】
0003200854.tif 000005
【図４】
0003200854.tif 000006
【手続補正書】
【提出日】平成27年7月15日(2015.7.15)
【手続補正１】
【補正対象書類名】実用新案登録請求の範囲
【補正対象項目名】全文
【補正方法】変更
【補正の内容】
【実用新案登録請求の範囲】
【請求項１】
停電センサ−を組み込んだ天井型照明器具。
【請求項２】
停電センサ−付き天井型照明器具と携帯用ＬＥＤライトを一体化した一体型照明器具。
【請求項３】
側面が電球の様なネジ構造の携帯用ＬＥＤライト。
【手続補正書】
【提出日】平成27年9月2日(2015.9.2)
【手続補正１】
【補正対象書類名】実用新案登録請求の範囲
【補正対象項目名】全文
【補正方法】変更
【補正の内容】
【実用新案登録請求の範囲】
【請求項１】
停電センサ−付き天井型照明器具と側面が電球の様なネジ構造の携帯用ＬＥＤライトを一体化した一体型照明器具。
【請求項２】
側面が電球の様なネジ構造の携帯用ＬＥＤライト。
(57)【要約】      （修正有）【課題】本を開いた状態で保持でき、一頁毎に繰り出し、繰り入れが簡単である読書用の用具を提供する。【解決手段】開いた本を保持する、左右の面１１のなす角度が鈍角である保持板１と、保持板の左右の面の上端部にそれぞれ固定され、本を保持板に固定する一対のクリップ２、からなる読書用の用具において、クリップは、コの字形の開口部を有するばね鋼板製であって、頂点が開口方向に位置し、開口部に内接して設けられた円錐体のカムと、カムに接続された一本のピアノ線開閉レバー４を備え、開閉レバーの操作により円錐体のカムが回転することによってクリップが開閉する。さらに、本の底部を保持する固定板１０と、固定板を保持板の上下方向にスライドさせるスライド板８を備えるのが好ましい。【選択図】図１
0003200858.tif 000002
【実用新案登録請求の範囲】
【請求項１】
市販のクリップはコの字型のばね鋼板製で開口部は常時閉じて反対側二本のレバーを押して開くクリップで、本案では開口部側に一本の開閉レバーの上下で本を固定、開放するもので、コの字型のクリップに内接する、円錐体のカムに固定する開閉レバーはクリップの開口部上に突出し、後方に押し上げられ開放されクリップは支持板上に並列に二個固定し本の一頁ごとの繰り出し繰り入れする読書の用具。
【請求項２】
本を開く大きさの保持版を鈍角に開き上部（天）の部分に請求項１のクリップを並列に左右に固定し、下部（地）を前後にスライドし、スライド板で本と保持板と一体に固定するもので、本の大小により２〜３大型の用具も必要とする読書の用具。
【考案の詳細な説明】
【技術分野】
【０００１】机と椅子での読書は用具の必要もなく、体をリラックスして、本を開き手で保持し一頁ずつめくることの繰り返しであり、本案は本を保持板の左右二個のクリップで固定し、手放しで読書を楽しむ事である。
【背景技術】
【０００２】読書中は本を開き手放しでの読書は出来ない。
【考案の概要】
【考案の解決しようとする課題】
【０００３】本を開き保持する保持板に本を固定する方法を必要とする。
【課題を解決する為の手段】
【０００４】本考案は本を開き保持する保持板の両面を鈍角とし本の上部（天）左右にクリップを固定し下部（地）には上下にスライドし固定し本の高さに対応する為の固定板で本を固定し保持板と一体になる。
【考案の効果】
【０００５】本考案に係る読書の用具は簡単な構造で軽量、安価で実用性に優れたものである。
【考案を実施するための形態】
【０００６】本を鈍角〔１６０℃位）に開き、鋼板又はプラスチック製の保持板１の上部天９の左右にクリップ２を固定し、下部地１０を上下するスライド板８を固定し、本と保持板１を一体とする読書の用具。
【０００７】クリップ２は鋼板帯状コの字型で常時は閉じて三角形で、クリップ２にはストッパー５．６を設け、内接する円錐体のカム３に固定する開閉レバー４の前後動するレバー長穴７を形成し、前後動で開閉し、円錐体のカム３の中心線１３とクリップ上面が垂直の位置では最大に開き、開閉レバー４とレバー長穴が接し、回動は止まり定位置に保持される。
【図面の簡単な説明】
【０００８】
【図１】本考案に係る読書の用具平面図。
【図２】本考案に係る読書の用具正面図。
【図３】本考案に係る読書の用具のクリップ閉側面図。
【図４】本考案に係る読書の用具のクリップ開側面図。
【図５】本考案に係る読書の用具のクリップ開正面図。
【図６】本考案に係る読書の用具のクリップ開平面図。
【符号の説明】
【０００９】１保持板（鋼板又はプラスチック      ８スライド板（本の地の部分）
２クリップ外板（鋼板・帯鉄）        ９天（本の上部）
３カム（円錐体）                  １０地（本の下部）
４開閉レバー（ピアノ線）          １１小口（本の左右端）
５ストッパー（カム用）            １２ノブねじ（スライド板固定用）
６ストッパー（本の天用）          １３円錐体の中心線
７レバー長穴（レバー移動用）      １４クリップ固定ねじ
【図１】
0003200858.tif 000003
【図２】
0003200858.tif 000004
【図３】
0003200858.tif 000005
【図４】
0003200858.tif 000006
【図５】
0003200858.tif 000007
【図６】
0003200858.tif 000008
【手続補正書】
【提出日】平成27年8月3日(2015.8.3)
【手続補正１】
【補正対象書類名】実用新案登録請求の範囲
【補正対象項目名】全文
【補正方法】変更
【補正の内容】
【実用新案登録請求の範囲】
【請求項１】
開いた本を保持する保持板であって、左右の面のなす角度が鈍角である保持板と、保持板の左右の面の上端部にそれぞれ固定され、本を保持板に固定する一対のクリップ、からなる読書用の用具において、
クリップは、コの字形の開口部を有するばね鋼板製であって、頂点が開口方向に位置し、開口部に内接して設けられた円錐体のカムと、カムに接続された一本の開閉レバーを備え、開閉レバーの操作により円錐体のカムが回転することによってクリップが開閉することを特徴とする、読書用の用具。
【請求項２】
請求項１に記載の読書用の用具において、
さらに、本の底部を保持する下部地と、下部地を保持板の上下方向にスライドさせるスライド板を備えたことを特徴とする読書用の用具。
(57)【要約】      （修正有）【課題】顔面の肌に短時間で容易に複合的な美肌効果を与えることができる複合美顔器を提供する。【解決手段】把手部１のヘッド部分内に電気的筋肉刺激機能が取り付けられている複合美顔器において、接触子２に多元素鉱物のパウダーおよび金が含有またはコーティング（メッキを含む）されている。また、把手部１のヘッド部分内に発光ダイオードの光源３を有している。把手部１のヘッド部先端の接触子２は平坦状のもの、半球状のもの、尖形のもの、または他の形に変形したものがある。【選択図】図１
0003200852.tif 000002
【実用新案登録請求の範囲】
【請求項１】
把手部のヘッド部分に電気的筋肉刺激機能が取り付けられている複合美顔器において、接触子に、多元素鉱物のパウダーおよび金が含有またはコーティング（メッキを含む）されている複合美顔器。
【請求項２】
請求項１の超音波美顔器において、把手部のヘッド部分内部に発光ダイオードが取り付  けられている美顔器。
【考案の詳細な説明】
【考案の詳細な説明】
【技術分野】
【０００１】  本考案は、肌ケア装置としての複合美顔器に関し、特に多元素鉱物のパウダーおよび金から放射される微弱電流と、電気的筋肉刺激機能と発光ダイオードによる光エネルギーの作用との相乗効果によって効果的な顔肌のケアができるようにした複合美顔器に関する。
【背景技術】
【０００２】  従来、美顔器として、把手部のヘッド部分に電気的筋肉刺激機能が取り付けられたものが知られている。
この複合美顔器は、把手部を手で持ち、接触子を顔肌に接触させて使用するもので、このときヘッド部分内の電気的筋肉刺激機能によって肌に刺激を与え、顔の筋肉のリフトアップを促す。
【考案の概要】
【考案が解決しようとする課題】
【０００３】  上記の美顔器は電気的筋肉刺激機能のみを有する単機能の美顔器である。その他のエレクトロポーション機能、ノーニードルメソセラピー機能、高周波機能、発光ダイオード機能など使用する場合、そのほとんどがやはり単機能の美顔器を使用するしかなく、それぞれの機能を複合的に肌に与えようとすると、複数の美顔器が必要になり、多大な時間や金額が発生するものである。
【課題を解決するための手段】
【０００４】  上記の課題を解決するために、本考案の複合美顔器（請求項１）は、把手部のヘッド部分に電気的筋肉刺激機能が取り付けられている複合美顔器において、接触子に多元素鉱物のパウダーおよび金が含有またはコーティング（メッキを含む）されている構成とした。
この場合、前記請求項１記載の複合美顔器において、把手部のヘッド部分の内部に発光ダイオードが内臓された態様がある。
【考案の効果】
【０００５】  本考案（請求項１）では、把手部のヘッド部分内に取り付けられた電気的筋肉刺激機能によって顔の筋肉に刺激を与えることで顔の筋肉を引き締めることと、多元素鉱物のパウダーおよび金から放射される微弱電流との相乗効果によって、効果的な顔肌のケアができる。
又、接触部を金メッキでコーティングすることにより、高級感のある作りとなっている。また本考案（請求項２）では、請求項１記載の複合美顔器において、把手部のヘッド部分の内部に発光ダイオードが取り付けられ、これより放射する光エネルギーによる作用を顔肌に与えることができる。
【考案を実施するための最良の形態】
【０００６】  以下、本考案の実施例を図面に基づいて詳細に説明する。
図１、図２、図３は本考案の実施例にかかる美顔器の概略断面図である。【０００７】  本実施例の美顔器Ａは、把手部１のヘッド部分内部に電気的筋肉刺激機能、エレクトロポーション機能、ノーニードルメソセラピー機能、高周波機能が取り付けられている。
なお、電気的筋肉刺激機能、エレクトロポーション機能、ノーニードルメソセラピー機能、高周波機能は、制御回路（図示省略）によって、その作動が制御されるようになっている。【０００８】把手部１のヘッド部分に内臓された発光ダイオードは美容用の特殊なものである。ライトの種類は青、緑、赤の３色と全灯の計４パターンである。【０００９】発光ダイオードの光源３は、制御回路（図示省略）によって、その作動が制御されるようになっている【００１０】  接触子２は、通常、多元素鉱物のパウダーおよび金によってコーティングされている
接触子２は、図１のように平坦状もの、図２のように半球状のもの、図３のように尖形にものがある。または他の形に変形したものがある。【００１１】  そして、接触子２の多元素鉱物のパウダーおよび金によって微弱電流を発生させることができる。
従って、この微弱電流によって顔肌に対する保湿性が向上し、顔肌に潤いを持たせることができるし、顔肌の血行を良好にさせて、新陳代謝のアップを促進し肌のターンオーバーを整え、肌のリフトアップを促進させる。また、金には抗菌作用があり、肌の炎症をおさせる働きがある。さらにコラーゲンやエラスチンを作り出す細胞を活性化させる。
（参考：Ａｎｔｉ−ｇｌｙｃａｔｉｏｎ  ｅｆｆｅｃｔ  ｏｆ  ｇｏｌｄ  ｎａｎｏｐａｒｔｉｃｌｅｓ  ｏｎ  ｃｏｌｌａｇｅｎ．）【００１２】  そして把手部１のヘッド部分に内臓された発光ダイオードによる光エネルギーの作用を顔肌の深部に届けることにより、コラーゲンの生成や肌のターンオーバーの促進、ニキビの原因菌の殺菌をすることができる。
発光ダイオードの色ごとに効果は異なり、青色はニキビの原因であるアクネ菌を死滅させ、皮脂腺から出る過剰な皮脂の分泌を抑制することで、ニキビを鎮静化させるとともに、ニキビのできにくい肌を作る効果がある。
緑色は角質層のターンオーバーを正常化し、メラニンの排出をスムーズにすることで、くすみやニキビ跡、傷跡を修復する効果がある。
赤色は筋肉層まで届く波長のライトで、コラーゲンとエラスチン生成を促進し、細胞を増殖させることで弾力が生まれ、シワの改善などのアンチエイジング効果がある。
（参考：科学研究費助成事業／可視光の皮膚アンチエイジング効果に関する基礎的研究〜ＤＮＡ修復機能に着目して）
【図面の簡単な説明】
【００１３】本考案の実施例にかかる複合美顔器の概略断面図である。
〔図１〕〔図２〕〔図３〕
【図１】
0003200852.tif 000003
【図２】
0003200852.tif 000004
【図３】
0003200852.tif 000005
【手続補正書】
【提出日】平成27年8月7日(2015.8.7)
【手続補正１】
【補正対象書類名】実用新案登録請求の範囲
【補正対象項目名】全文
【補正方法】変更
【補正の内容】
【実用新案登録請求の範囲】
【請求項１】
把手部と、前記把手部の先端に設けたヘッド部分とよりなる複合美顔器において、前記ヘッド部分に、顔肌に微弱電流を与える接触子を備えると共に、前記接触子に、多元素鉱物のパウダーおよび金が含有またはコーティングされていることを特徴とする複合美顔器。
【請求項２】
前記ヘッド部分に、顔肌に光エネルギーを与える発光ダイオードを備えた請求項１に記載の複合美顔器。
【手続補正３】
【補正対象書類名】明細書
【補正対象項目名】００１３
【補正方法】変更
【補正の内容】
【００１３】
【図１】平坦状のものである
【図２】半球状のものである
【図３】尖形状のものである
(57)【要約】      （修正有）【課題】入浴時、手拭いへの石鹸の擦り付けが不要になり、手間が省ける手拭いを提供する。【解決手段】手拭いの中央に、石鹸が入る位の大きさの小袋を付ける。この小袋に石鹸を入れて使用する。【選択図】図１
0003200853.tif 000002
【実用新案登録請求の範囲】
手拭いに、付けた小さな袋に、石鹸を入れ其の儘、身体を洗う時に、使用するもの。
【考案の詳細な説明】
【考案の詳細な説明】
入浴時は、身体を洗うのに、石鹸を手拭いに擦り付け、泡が無くなると、又、擦り付け、一入浴で、平均、三回位は繰り返し、泡を出して使うのが、一般的だがこの手拭を、使用する事に依って、擦り付け不要になり、手間が省け、擦り付けが、面倒な人や、不精者には、もってこいの、福音の手拭いと考えられる。  又、石鹸が、小さくなっても其の儘、新石鹸を入れ、追加、使用出来るのも、経済的である
【図面の簡単な説明】
【図１】小袋に石鹸を入れ、使用中、気泡が出過ぎるときは、適宜、折り目１を、又、折り目２を、たたみ調整しながら使用出来る。
【図１】
0003200853.tif 000003
【手続補正書】
【提出日】平成27年8月10日(2015.8.10)
【手続補正１】
【補正対象書類名】実用新案登録請求の範囲
【補正対象項目名】全文
【補正方法】変更
【補正の内容】
【実用新案登録請求の範囲】
【請求項１】
一般的な手拭の中央に、石鹸が入る位の大きさの小袋が付いている事を、特徴とする手拭。
(57)【要約】      （修正有）【課題】ベルトにつなぎ、ナイフの紛失を防止できるナイフ取付金具を提供する。【解決手段】ナイフ取付金具は、ベルトに取り付け可能な断面がだ円形の中空形状に加工された金属板と、金属板の側面に取り付けた円形の輪とを含む。円形の輪にひも３を取付けナイフ４をつなぐことでナイフの紛失防止ができる。【選択図】図３
0003200855.tif 000002
【実用新案登録請求の範囲】
【請求項１】
金属板をだ円形に加工し、その側面に円形の輪を取付けたところを特徴とするナイフ取付金具。
【考案の詳細な説明】
【技術分野】
【０００１】本考案は、開梱等に用いるナイフをつなぐ金具に関するものである。
【背景技術】
【０００２】開梱等に用いるナイフにつなぐ用具は、ほとんど無かった。
【考案の開示】
【考案が解決しようとする課題】
【０００３】ナイフをひもを介して、ベルトにつなぐことができ、前述の欠点を解決しようとするものである。
【課題を解決するための手段】
【０００４】本考案は、ベルトに金具を取付ることで問題点を解決している。
【考案の効果】
【０００５】上述のように、ベルトに金具を取付けそこにひもを付けることで、ナイフのふん失防止に役立つ。
【考案を実施するための最良の形態】
【０００６】ベルトに金具を取付け、金具に輪を付け、そこにひもを付けナイフをつなぐ。
【実施例】
【０００７】以下、添付図に従って説明する。１．の金具をベルトに取付け、２．の輪にひもを付け、３．のナイフにつなぐ。【０００８】本考案の実施例は上途の如き構成からなるものであり、ナイフのふん失防止に役立つ。
【図面の簡単な説明】
【０００９】
【図１】正面図
【図２】側面図
【図３】実施例図
【符号の説明】１．金具
２．輪
３．ひも
４．ナイフ
【図１】
0003200855.tif 000003
【図２】
0003200855.tif 000004
【図３】
0003200855.tif 000005
【手続補正書】
【提出日】平成27年8月14日(2015.8.14)
【手続補正１】
【補正対象書類名】実用新案登録請求の範囲
【補正対象項目名】全文
【補正方法】変更
【補正の内容】
【実用新案登録請求の範囲】
【請求項１】
断面が、だ円形の中空形状に加工された金属板と、前記金属板の側面に取り付けた円形の輪とを含むベルトにつなぐことのできるナイフ取付金具。
(57)【要約】      （修正有）【課題】スマホホルダーに関し、より機能性を増し利便性を高めたマグネットクリップ式スマホ・デジカメホルダーを提供する。【解決手段】スマホホルダー１と、スマホホルダーの底部に設けられ、開閉可能な把持部を有すると共に、底部がマグネット３であるマグネット開閉クリップ２と、により構成されることを特徴とする。【選択図】図１
0003200856.tif 000002
【実用新案登録請求の範囲】
【請求項１】
スマホホルダーと該スマホホルダーの底部に開閉と把持可能に設けられたマグネット開閉クリップにより構成されるマグネットクリップ式スマホ・デジカメホルダー。直接スマホホルダーの底部にマグネットを装着してもよいがマグネット部分をクリップ式にすることで鉄材と非金属材との両面活用することが出来るマグネットクリップ式スマホ・デジカメホルダー。
【請求項２】
上部に従来のスマートフォンやデジタルカメラを把持するホルダーを有し、底部に開閉可能なマグネットクリップを有する構造とより構成された構造のマグネットクリップ式スマホ・デジカメホルダー。
【考案の詳細な説明】
【技術分野】
【０００１】  本考案は従来のスマホホルダーに該ホルダーの底部にマグネットクリップを装着しすることによって鉄製の構造物、あるいは把持する場所、部分があればいかなる場所であっても撮影あるいは自分撮りが出来る機能を持たせたマグネットクリップ式スマホ・デジカメホルダーである。
【背景技術】
【０００２】  従来のスマホホルダーは底部の装着部分が吸盤であったり粘着シートであったりして単に車の運転席に付設してスマートフォンを保持し、その機能を使用するのみに使用されてきた。
【考案が解決しようとする課題】
【０００３】（イ）  従来のスマホホルダーは乗用車の車載用で車内のみで使用されてきた。
（ロ）  従来のスマホホルダーはスマートフォンのカメラ機能の撮影機能を十分に活用し        ていない。
（ハ）  従来のスマホホルダーには車外で使用できるマグネット部分やグリップ機能がな        く屋外で使用するには不便であった。
本考案は以上の問題点を解決しようとするものである。
【課題を解決するための手段】
【０００４】  本考案は従来のスマホホルダーに該ホルダーの底部にマグネットクリップを装着しすることによって鉄製の構造物、あるいは把持する場所、部分があればいかなる場所であっても撮影あるいは自分撮りが出来る両面機能を持たせたマグネットクリップ式スマホ・デジカメホルダーである。
【考案の効果】
【０００５】  本考案は従来のスマホホルダーの機能を高め、従来のスマホホルダーの不便を改良されている。
【考案を実施するための形態】
【０００６】以下、本考案の実施の形態を説明する。
（イ）  スマホホルダー本体の形状  本体の大きさ、機能は従来と変わらない。
（ロ）  （１）は従来のスマホホルダー。
（ハ）  （２）マグネットクリップ。
（ニ）  （３）底部（マグネット）。
（ホ）  （４）把持部（クリップ）
（ヘ）  （５）スマートフォン
（ト）  （６）デジタルカメラ
本考案は、以上の構成よりなっている。
本考案を使用するときは、スマホホルダー（１）にスマートフォンやデジタルカメラを保持し、鉄製の構造物（ロッカーや黒板、自販機等）にマグネット部分（２）を装着し位置決めして撮影機能を使用する。またクリップ部分（３）はマグネットの効かない構造物（アルミフェンスや車の窓等）を把持し位置決めして撮影機能を使用する。
【図面の簡単な説明】
【０００７】
【図１】本考案の斜視図
【図２】本考案の正面図
【図３】本考案の側面図。
【図４】本発明の使用状態を示す斜視図（スマートフォンを装着した状態）
【図５】本発明の使用状態を示す斜視図（デジカメを装着した状態）
【符号の説明】
【０００８】１  従来のスマホホルダー
２  マグネットクリップ
３  底部（マグネット）
４  把持部（クリップ）
５  スマートフォン
６  デジタルカメラ
【図１】
0003200856.tif 000003
【図２】
0003200856.tif 000004
【図３】
0003200856.tif 000005
【図４】
0003200856.tif 000006
【図５】
0003200856.tif 000007
【手続補正書】
【提出日】平成27年8月12日(2015.8.12)
【手続補正１】
【補正対象書類名】実用新案登録請求の範囲
【補正対象項目名】全文
【補正方法】変更
【補正の内容】
【実用新案登録請求の範囲】
【請求項１】
スマホホルダーと、該スマホホルダーの底部に設けられ、開閉可能な把持部を有すると共に、底部がマグネットであるマグネット開閉クリップと、により構成されるマグネットクリップ式スマホ・デジカメホルダー。
【請求項２】
上部にスマートフォンやデジタルカメラを把持するホルダーを有し、底部に開閉可能なマグネットクリップを有する構造のマグネットクリップ式スマホ・デジカメホルダー。